(57)【要約】【課題】電界通信装置におけるセキュリティ対象となる情報の漏洩を防止する。【解決手段】第２電界通信装置２がセキュリティ対象情報６を他の電界通信装置に送信するためには、第１電界通信装置１から送信される動作制御信号５を受信することを必要とする。これにより、第１電界通信装置１がない場合には第２電界通信装置２がセキュリティ対象情報６を送信することはないので、第三者が第２電界通信装置２だけを入手したとしても、セキュリティ対象となる情報の漏洩を防止することが可能となる。【選択図】図１
2007194922.tif 000002
【特許請求の範囲】
【請求項１】
通信回路により電極から電界を電界伝達媒体に誘起して電界通信を行うことが可能な第１電界通信装置及び第２電界通信装置を備えた電界通信セキュリティシステムであって、
前記第１電界通信装置は、
第１動作制御信号を送信電極から前記電界伝達媒体を介して前記第２電界通信装置へ送信する送信手段を有し、
前記第２電界通信装置は、
前記第１電界通信装置から前記電界伝達媒体を介して送信される前記第１動作制御信号を、受信電極を介して受信する受信手段と、
セキュリティ対象情報を格納する格納手段と、
前記第１動作制御信号を受信した場合に、前記セキュリティ対象情報を前記格納手段から読み出して送信電極から送信する送信手段と、
を有することを特徴とする電界通信セキュリティシステム。
【請求項２】
第２動作制御信号を送信電極から電界伝達媒体を介して前記第１電界通信装置へ送信する送信手段を備えた第３電界通信装置を更に有し、
前記第１電界通信装置は、
前記第３電界通信装置から前記電界伝達媒体を介して送信される前記第２動作制御信号を、受信電極を介して受信する受信手段を有し、
前記第１電界通信装置における送信手段は、前記第２動作制御信号を受信した場合に前記第１動作制御信号を送信することを特徴とする請求項１記載の電界通信セキュリティシステム。
【請求項３】
第３動作制御信号を送信電極から電界伝達媒体を介して前記第２電界通信装置へ送信する送信手段を備えた第３電界通信装置を更に有し、
前記第２電界通信装置は、
前記第３電界通信装置から前記電界伝達媒体を介して送信される前記第３動作制御信号を、受信電極を介して受信する受信手段を有し、
前記第２電界通信装置における送信手段は、前記第１動作制御信号と前記第３動作制御信号とを受信した場合に前記セキュリティ対象情報を前記格納手段から読み出して送信電極から送信することを特徴とする請求項１記載の電界通信セキュリティシステム。
【請求項４】
通信回路により電極から電界を電界伝達媒体に誘起して電界通信を行うことが可能な第１電界通信装置及び第２電界通信装置で処理する電界通信セキュリティ方法であって、
前記第１電界通信装置により、
第１動作制御信号を送信電極から前記電界伝達媒体を介して前記第２電界通信装置へ送信する第１ステップを有し、
前記第２電界通信装置により、
前記第１電界通信装置から前記電界伝達媒体を介して送信される前記第１動作制御信号を、受信電極を介して受信する第２ステップと、
前記第１動作制御信号を受信した場合に、セキュリティ対象情報を格納手段から読み出して送信電極から送信する第３ステップと、
を有することを特徴とする電界通信セキュリティ方法。
【請求項５】
第３電界通信装置により、
第２動作制御信号を送信電極から前記電界伝達媒体を介して前記第１電界通信装置へ送信するステップと、
前記第１電界通信装置により、
前記第３電界通信装置から前記電界伝達媒体を介して送信される前記第２動作制御信号を、受信電極を介して受信するステップと、を更に有し、
前記第１ステップは、前記第２動作制御信号を受信した場合に前記第１動作制御信号を送信することを特徴とする請求項４記載の電界通信セキュリティ方法。
【請求項６】
第３電界通信装置により、
第３動作制御信号を送信電極から前記電界伝達媒体を介して前記第２電界通信装置へ送信するステップと、
前記第２電界通信装置により、
前記第３電界通信装置から前記電界伝達媒体を介して送信される前記第３動作制御信号を、受信電極を介して受信するステップと、を更に有し、
前記第３ステップは、前記第１動作制御信号と前記第３動作制御信号とを受信した場合に前記セキュリティ対象情報を格納手段から読み出して送信電極から送信することを特徴とする請求項４記載の電界通信セキュリティ方法。
【請求項７】
通信回路により電極から電界を電界伝達媒体に誘起して電界通信を行うことが可能な電界通信装置であって、
別の電界通信装置から電界伝達媒体を介して送信される動作制御信号を、受信電極を介して受信する受信手段と、
セキュリティ対象情報を格納する格納手段と、
前記動作制御信号を受信した場合に、前記セキュリティ対象情報を前記格納手段から読み出して送信電極から送信する送信手段と、
を有することを特徴とする電界通信装置。
【請求項８】
前記セキュリティ対象情報の入力を受け付ける受付手段を更に有することを特徴とする請求項７記載の電界通信装置。
【請求項９】
前記動作制御信号を受信しなくなった場合に、前記セキュリティ対象情報を前記格納手段から削除する削除手段を更に有することを特徴とする請求項７又は８に記載の電界通信装置。
【請求項１０】
前記動作制御信号と、更に別の電界通信装置から前記電界伝達媒体を介して送信される動作制御信号とを受信した場合に、前記セキュリティ対象情報を前記格納手段から読み出して送信電極から送信することを特徴とする請求項７乃至９のいずれか１項に記載の電界通信装置。
【発明の詳細な説明】
【技術分野】
【０００１】
本発明は、電界通信装置のセキュリティを向上させる技術に関する。
【背景技術】
【０００２】
従来、電界を伝達する電界伝達媒体に対して送信すべきデータに基づく電界を誘起させ、また電界伝達媒体に誘起された電界を検出してデータ通信を行う電界通信装置が提案されている（特許文献１参照）。
【０００３】
この種の電界通信装置は、電界通信用の電極を電界伝達媒体に接触させるだけで他の電界通信装置と通信が可能となるものであり、利便性が高く、様々な用途での利用が考えられるものである。
【特許文献１】特開２００３−３２４３９５公報
【発明の開示】
【発明が解決しようとする課題】
【０００４】
しかしながら、従来の電界通信装置は、電極を電界通信媒体に接触させるだけで通信が開始されるため、電界通信装置が、例えばユーザーＩＤ（Ｉｄｅｎｔｉｆｉｃａｔｉｏｎ）、暗証番号、その他の個人情報といったセキュリティの上で重要な情報を格納していた場合には、第三者が電界通信装置を使用することによって、これらの重要な情報が簡単に漏洩してしまう問題があった。
【０００５】
本発明は、上記を鑑みてなされたものであり、電界通信装置におけるセキュリティ対象となる情報の漏洩を防止することを課題とする。
【課題を解決するための手段】
【０００６】
第１の本発明に係る電界通信セキュリティシステムは、通信回路により電極から電界を電界伝達媒体に誘起して電界通信を行うことが可能な第１電界通信装置及び第２電界通信装置を備えた電界通信セキュリティシステムであって、前記第１電界通信装置は、第１動作制御信号を送信電極から前記電界伝達媒体を介して前記第２電界通信装置へ送信する送信手段を有し、前記第２電界通信装置は、前記第１電界通信装置から前記電界伝達媒体を介して送信される前記第１動作制御信号を、受信電極を介して受信する受信手段と、セキュリティ対象情報を格納する格納手段と、前記第１動作制御信号を受信した場合に、前記セキュリティ対象情報を前記格納手段から読み出して送信電極から送信する送信手段と、を有することを特徴とする。
【０００７】
本発明にあっては、第１電界通信装置から送信される第１動作制御信号を受信した場合に、第２電界通信装置がセキュリティ対象情報を送信するようにしたことで、第１電界通信装置がない場合には第２電界通信装置がセキュリティ対象情報を送信することはないので、第三者が第２電界通信装置だけを入手したとしても、セキュリティ対象となる情報の漏洩を防止することが可能となる。
【０００８】
上記電界通信セキュリティシステムにおいて、第２動作制御信号を送信電極から電界伝達媒体を介して前記第１電界通信装置へ送信する送信手段を備えた第３電界通信装置を更に有し、前記第１電界通信装置は、前記第３電界通信装置から前記電界伝達媒体を介して送信される前記第２動作制御信号を、受信電極を介して受信する受信手段を有し、前記第１電界通信装置における送信手段は、前記第２動作制御信号を受信した場合に前記第１動作制御信号を送信することを特徴とする。
【０００９】
本発明にあっては、第３電界通信装置から送信される第２動作制御信号を受信した場合に、第１電界通信装置が第１動作制御信号を送信するようにしたことで、第３電界通信装置がない場合には第１電界通信装置が第１動作制御信号を送信することはないので、結果として第２電界通信装置はセキュリティ対象情報を送信することはできない。従い、第三者が第１電界通信装置及び第２電界通信装置を入手したとしても、セキュリティ対象となる情報の漏洩を防止することが可能となる。
【００１０】
上記電界通信セキュリティシステムにおいて、第３動作制御信号を送信電極から電界伝達媒体を介して前記第２電界通信装置へ送信する送信手段を備えた第３電界通信装置を更に有し、前記第２電界通信装置は、前記第３電界通信装置から前記電界伝達媒体を介して送信される前記第３動作制御信号を、受信電極を介して受信する受信手段を有し、前記第２電界通信装置における送信手段は、前記第１動作制御信号と前記第３動作制御信号とを受信した場合に前記セキュリティ対象情報を前記格納手段から読み出して送信電極から送信することを特徴とする。
【００１１】
本発明にあっては、第１電界通信装置から送信される第１動作制御信号と、第３電界通信装置から送信される第３動作制御信号とを受信した場合に、第２電界通信装置がセキュリティ対象情報を送信するようにしたことで、第１電界通信装置及び第３電界通信装置がない場合には第２電界通信装置がセキュリティ対象情報を送信することはないので、第三者が第１電界通信装置又は第３電界通信装置のどちらか一方、及び第２電界通信装置を入手したとしても、セキュリティ対象情報の漏洩を防止することが可能となる。
【００１２】
第２の本発明に係る電界通信セキュリティ方法は、通信回路により電極から電界を電界伝達媒体に誘起して電界通信を行うことが可能な第１電界通信装置及び第２電界通信装置で処理する電界通信セキュリティ方法であって、前記第１電界通信装置により、第１動作制御信号を送信電極から前記電界伝達媒体を介して前記第２電界通信装置へ送信する第１ステップを有し、前記第２電界通信装置により、前記第１電界通信装置から前記電界伝達媒体を介して送信される前記第１動作制御信号を、受信電極を介して受信する第２ステップと、前記第１動作制御信号を受信した場合に、セキュリティ対象情報を格納手段から読み出して送信電極から送信する第３ステップと、を有することを特徴とする。
【００１３】
上記電界通信セキュリティ方法において、第３電界通信装置により、第２動作制御信号を送信電極から前記電界伝達媒体を介して前記第１電界通信装置へ送信するステップと、前記第１電界通信装置により、前記第３電界通信装置から前記電界伝達媒体を介して送信される前記第２動作制御信号を、受信電極を介して受信するステップと、を更に有し、前記第１ステップは、前記第２動作制御信号を受信した場合に前記第１動作制御信号を送信することを特徴とする。
【００１４】
上記電界通信セキュリティ方法において、第３電界通信装置により、第３動作制御信号を送信電極から前記電界伝達媒体を介して前記第２電界通信装置へ送信するステップと、前記第２電界通信装置により、前記第３電界通信装置から前記電界伝達媒体を介して送信される前記第３動作制御信号を、受信電極を介して受信するステップと、を更に有し、前記第３ステップは、前記第１動作制御信号と前記第３動作制御信号とを受信した場合に前記セキュリティ対象情報を格納手段から読み出して送信電極から送信することを特徴とする。
【００１５】
第３の本発明に係る電界通信装置は、通信回路により電極から電界を電界伝達媒体に誘起して電界通信を行うことが可能な電界通信装置であって、別の電界通信装置から電界伝達媒体を介して送信される動作制御信号を、受信電極を介して受信する受信手段と、セキュリティ対象情報を格納する格納手段と、前記動作制御信号を受信した場合に、前記セキュリティ対象情報を前記格納手段から読み出して送信電極から送信する送信手段と、を有することを特徴とする。
【００１６】
上記電界通信装置は、前記セキュリティ対象情報の入力を受け付ける受付手段を更に有することを特徴とする。
【００１７】
本発明にあっては、例えば、ユーザーＩＤ、暗証番号、指紋、その他個人情報を装置外部から入力することができるので、セキュリティ対象となる情報を柔軟に利用することが可能となる。
【００１８】
上記電界通信装置は、前記動作制御信号を受信しなくなった場合に、前記セキュリティ対象情報を前記格納手段から削除する削除手段を更に有することを特徴とする。
【００１９】
本発明にあっては、動作制御信号を受信しなくなった場合には、電界通信装置に格納されているセキュリティ対象情報が削除されるので、セキュリティ対象情報の漏洩をより確実に防止することが可能となる。
【００２０】
上記電界通信装置は、前記動作制御信号と、更に別の電界通信装置から前記電界伝達媒体を介して送信される動作制御信号とを受信した場合に、前記セキュリティ対象情報を前記格納手段から読み出して送信電極から送信することを特徴とする。
【発明の効果】
【００２１】
本発明によれば、電界通信装置におけるセキュリティ対象となる情報の漏洩を防止することができる。
【発明を実施するための最良の形態】
【００２２】
以下、本発明の実施の形態について図面を用いて説明する。
【００２３】
［第１の実施の形態］
図１は、第１の実施形態に係る電界通信セキュリティシステムの概略的な構成を示す模式図である。図１に示すように、本電界通信セキュリティシステムは、電界伝達媒体４の上に載置された第１電界通信装置１と第２電界通信装置２とを有する構成である。電界伝達媒体４は、例えば、人体、机、床等を利用することができる。
【００２４】
図２は、第１電界通信装置１の構成を示すブロック図である。第１電界通信装置１は、メモリ１０、処理部１１、通信回路１２、及び電極１３を有する構成である。第１電界通信装置１は、メモリ１０に格納されている動作制御信号５を、通信回路１２により電極１３から電界を電界伝達媒体４に誘起して、図１に記載する第２電界通信装置２へ送信する。通信回路１２の構成及び動作については後述する。
【００２５】
図３は、第２電界通信装置２の構成を示すブロック図である。第２電界通信装置２は、メモリ２０、処理部２１、通信回路２２、電極２３、データ入力部２４、及び電源制御回路２５を有する構成である。第２電界通信装置２は、第１電界通信装置１により送信された動作制御信号５を通信回路２２により電極２３で受信した場合に、データ入力部２４から受け付けて尚且つ処理部２１によりメモリ２０へ格納されたセキュリティ対象情報６を、通信回路２２により電極２３を介して他の電界通信装置へ送信する。通信回路２２の構成及び動作については後述する。第２電界通信装置２は、例えば、人の体に装着することのできる腕時計型のものや、持ち運びに便利なカード型のものを利用することが可能である。
【００２６】
このような構成とすることで、第２電界通信装置２の機能を有する腕時計が第三者により装着された場合であっても、その第三者は第１電界通信装置１を所持していないので、その腕時計を利用した電界通信を防ぐことができる。
【００２７】
図４は、第１電界通信装置１における通信回路１２、及び第２電界通信装置２における通信回路２２の共通の構成を示すブロック図である。以下、通信回路２２を用いて説明する。図４に示すように、処理部２１と電極２３との間を接続する通信回路２２は、インタフェース１０１を介して処理部２１に接続される。通信回路２２は、この処理部２１からインタフェース１０１を介して他の電界通信装置に送信するための送信データを受け取ると、レベル調整回路１０２で送信データの信号振幅を調整してから、送信回路１０３を介して送信電極２３ａに供給するようになっている。
【００２８】
送信電極２３ａは、送信回路１０３から送信データが供給されると、この送信データに対応する電界を電界伝達媒体４に誘起する。この誘起された電界は、電界伝達媒体４を伝達して、他の電界通信装置の受信電極２３ｂで受信される。
【００２９】
電界検出光学部１０４は、受信電極２３ｂで受信した電界が供給され、電界光学手法を利用した電界検出光学部１０４内で別途発生するレーザ光を偏光変化させ、この偏光変化したレーザ光を受光回路１０５で電気信号に変換する。この電気信号は、バンドパスフィルタ１０６での帯域制限により不要な雑音が除去され、更に波形整形回路１０７で波形が整形されてから、インタフェース１０１を介して処理部２１に供給されるようになっている。
【００３０】
なお、送信電極２３ａと受信電極２３ｂは、一体化して１つの電極２３で各電極を構成してもよいものである。
【００３１】
次に、図１乃至図３を参照し、本実施形態に係る電界通信セキュリティシステムの動作について説明する。
【００３２】
最初に、第１電界通信装置１から送信される動作制御信号５を受信した第２電界通信装置２が、他の電界通信装置と電界通信を開始するまでの動作について説明する。
【００３３】
第１のステップとして、第１電界通信装置１は、メモリ１０に格納されている動作制御信号５を、通信回路１２により電極１３から電界を電界伝達媒体４に誘起して第２電界通信装置２へ送信する。
【００３４】
第２のステップとして、第２電界通信装置２は、第１電界通信装置１により電界伝達媒体４を介して送信された動作制御信号５を、電極２３を介して通信回路２２により受信する。
【００３５】
第３のステップとして、第２電界通信装置２は、データ入力部２４からセキュリティ対象情報６を受け付ける。
【００３６】
第４のステップとして、第２電界通信装置２は、第３のステップにより受け付けたセキュリティ対象情報６を、処理部２１によりメモリ２０へ格納する。
【００３７】
第５のステップとして、第２電界通信装置２は、第４のステップによりメモリ２０へ格納されたセキュリティ対象情報６を、処理部２１により読み出す。
【００３８】
第６のステップとして、第２電界通信装置２は、第５のステップにより読み出されたセキュリティ対象情報６を、通信回路２２により電極２３から電界を電界伝達媒体４に誘起して他の電界通信装置に送信する。
【００３９】
次に、第２電界通信装置２が、第１電界通信装置１から送信される動作制御信号５を受信しなくなった場合の動作について説明する。
【００４０】
第７のステップとして、例えば、第２電界通信装置２の電極２３が電界伝達媒体４から離れることにより動作制御信号５を受信しなくなった場合に、第２電界通信装置２は、処理部２１により第４のステップでメモリ２０へ格納されたセキュリティ対象情報６を削除する。
【００４１】
第８のステップとして、第２電界通信装置２は、電源制御回路２５により電源を停止する。
【００４２】
尚、上記第３のステップにおけるデータ入力部２４からセキュリティ対象情報６を受け付けるタイミングは、上記第４のステップよりも前であれば、どのタイミングでも受け付けることが可能である。
【００４３】
本実施の形態によれば、第１電界通信装置１から送信される動作制御信号５を受信した場合に、第２電界通信装置２がセキュリティ対象情報６を送信するようにしたことで、第１電界通信装置１がない場合には第２電界通信装置２がセキュリティ対象情報６を送信することはないので、第三者が第２電界通信装置２だけを入手したとしても、セキュリティ対象となる情報の漏洩を防止することが可能となる。また、データ入力部２４により、セキュリティ対象情報６を入力することができるので、例えば、ユーザーＩＤや暗証番号といった各種のセキュリティ対象情報６を柔軟に利用することが可能となる。更に、第２電界通信装置２が動作制御信号５を受信しなくなった場合には、第２電界通信装置２のメモリ２０に格納されているセキュリティ対象情報６が削除されるので、セキュリティ対象情報６の漏洩をより確実に防止することができる。また、電源制御回路２５による電源の停止により、第２電界通信装置２の電力消費を防ぐことが可能である。
【００４４】
図５は、図３で示した第２電界通信装置２に係る構成の第１の変形例を示すブロック図である。第１変形例の第２電界通信装置２０１は、図３で示したデータ入力部２４に代えて、生体センサー部２６を有する構成である。生体センサー部２６以外の構成については、図３を用いて説明したものと同様である。
【００４５】
生体センサー部２６は、指紋を受け付ける機能を有しており、生体センサー部２６が受け付けた指紋は、処理部２１によりメモリ２０に格納される。この指紋は上記の第３ステップにおけるセキュリティ対象情報６として扱われる。それ以外のステップについては、先に説明したものと同様である。生体センサー部２６が受け付ける生体情報の他の例としては、虹彩、網膜、声紋、静脈、顔形、筆跡等を挙げることができる。
【００４６】
第１変形例では、データ入力部２４に代えて生体センサー部２６を用いることで、人間の記憶に依存しない指紋をセキュリティ対象情報６として利用することができるので、より高い精度での認証を行うことが可能である。
【００４７】
図６は、図３で示した第２電界通信装置２に係る構成の第２の変形例を示すブロック図である。第２変形例の第２電界通信装置２０２は、図３で示した構成の他に、時刻発生部２７を更に有している。時刻発生部２７以外の構成については、図３を用いて説明したものと同様である。第２電界通信装置２０２では、データ入力部２４から受け付けたセキュリティ対象情報６をそのままの形ではなく、まず、時刻発生部２７により発生した時刻を関数に用いて、処理部２１によりセキュリティ対象情報６に一定の変換を行う。そして、セキュリティ対象情報６を送信する際には、変換後のものとその時刻とを同時に送信する。この送信処理は、上記の第６ステップで追加して行なわれる。第６ステップ以外については先に説明したものと同様である。その後、変換後のセキュリティ対象情報６と時刻とを受信した他の電界通信装置では、受信した時刻を用いて第２電界通信装置２０２と同一の関数による逆変換を行い、元のセキュリティ対象情報６を得る。
【００４８】
第２変形例では、第２電界通信装置２０２の保有する時刻を用いて変換した結果を他の電界通信装置との認証に利用するので、セキュリティ対象情報６そのものが電界伝達媒体４に流れることはなく、セキュリティ対象情報６の漏洩を防止することが可能となる。更に、第三者に盗聴されたとしても、その認証に用いる処理結果は時刻発生部２７により得られた時刻に依存するので、再度同じものを利用することはなく、第三者による不正利用を防ぐことができる。
【００４９】
図７は、図３で示した第２電界通信装置２に係る構成の第３の変形例を示すブロック図である。第３変形例の第２電界通信装置２０３は、処理部２１と通信回路２２との間に暗号化部２８を更に有する構成である。暗号化部２８以外の構成については、図３を用いて説明したものと同様である。暗号化部２８は、第２電界通信装置２０３から送信されるセキュリティ対象情報６を他の電界通信装置へ送信する際に暗号化を行う機能を有する。第２電界通信装置２０３は、セキュリティ対象情報６を他の電界通信装置へ送信する際に、第２電界通信装置２０３が所持する暗号化鍵を用いて暗号化部２８にて暗号化を行う。この動作は第６ステップに含めて行なわれる。また、セキュリティ対象情報６のみではなく、電界伝達媒体４を介して行われる電界通信データについても、暗号化部２８を用いて暗号化を行うことが可能である。それ以外のステップについては、先に説明したものと同様である。暗号化の方法については、例えば、共通鍵暗号方式、公開鍵暗号方式、その他認証局を用いての方式を利用することができる。また、本実施形態にて説明した暗号化部２８については、図３、図５、図６を用いて説明したいずれについても利用することが可能である。
【００５０】
第３変形例では、電界伝達媒体を流れる全ての電界通信データの暗号化により、第三者による盗聴や不正利用を防ぐことができる。
【００５１】
図３、図５乃至図７で説明したいずれの例についても、外部からセキュリティ対象情報６を入力することのできるデータ入力部２４及び生体センサー部２６を有しない構成とすることが可能であり、その場合には、第２電界通信装置のメモリ２０にセキュリティ対象情報６を予め格納しておくことになる。
【００５２】
［第２の実施の形態］
図８は、第２の実施形態に係る電界通信セキュリティシステムの概略的な構成を示す模式図である。図８に示すように、本実施形態に係る電界通信セキュリティシステムは、第１電界通信装置１、第２電界通信装置２、及び第３電界通信装置３を有する構成であり、それら全ての電界通信装置は電界伝達媒体４の上に載置されている。
【００５３】
第３電界通信装置３の構成は、基本的には先に説明した第１電界通信装置１と同様である。ただし、ここでは、第３電界通信装置３は、第３電界通信装置３が格納する第２動作制御信号５ｂを電極から電界伝達媒体４を介して第１電界通信装置１へ送信する。
【００５４】
また、第１電界通信装置１は、第３電界通信装置３から電界伝達媒体４を介して送信される第２動作制御信号５ｂを、電極１３を介して受信する。そして、第２動作制御信号５ｂを受信した場合に、通信回路１２及び電極１３を通じて第１動作制御信号５ａを第２電界通信装置２へ送信する。
【００５５】
即ち、第２電界通信装置２が動作するためには第１動作制御信号５ａが必要であり、更に、第１電界通信装置１が動作するためには第２動作制御信号５ｂが必要である。第２電界通信装置２の基本的な構成については、図３、図５乃至図７で説明したいずれの例でも良い。
【００５６】
例えば、第３電界通信装置３、第１電界通信装置１、及び第２電界通信装置２を、それぞれ部長、課長、及び担当者が所持するものとし、電界伝達媒体４を人体、机、床等とする場合、担当者の所持する電界通信装置を動作させるには、机等を介して送信される課長からの動作制御信号が必要であり、課長の所持する電界通信装置を動作させるためには、机等を介して送信される部長からの動作制御信号が必要となる。これにより、指揮命令系統を明確に確立することが可能となる。
【００５７】
本実施の形態によれば、第３電界通信装置３から送信される第２動作制御信号５ｂを受信した場合に、第１電界通信装置１が第１動作制御信号５ａを送信するようにしたことで、第３電界通信装置３がない場合には第１電界通信装置１が第１動作制御信号５ａを送信することはないので、結果として第２電界通信装置２はセキュリティ対象情報６を送信することはできない。従い、第三者が第１電界通信装置１及び第２電界通信装置２を入手したとしても、セキュリティ対象となる情報の漏洩を防止することが可能となる。
【００５８】
［第３の実施の形態］
図９は、第３の実施形態に係る電界通信セキュリティシステムの概略的な構成を示す模式図である。本実施形態に係る構成は、図８にて説明した第２の実施形態の構成と同一である。従い、本実施形態における第３電界通信装置３の構成についても、基本的には第１電界通信装置１と同様である。
【００５９】
ただし、ここでは、第３電界通信装置３は、第３電界通信装置３が格納する第３動作制御信号５ｃを送信電極から電界伝達媒体４を介して第２電界通信装置２へ送信する。
【００６０】
また、第２電界通信装置２は、第３電界通信装置３から電界伝達媒体４を介して送信される第３動作制御信号５ｃを、電極２３を介して受信する。そして、この第３動作制御信号５ｃと第１電界通信装置１から送信される第１動作制御信号５ａとを受信した場合に、処理部２１によりメモリ２０に格納されているセキュリティ対象情報６を読み出して、通信回路２２及び電極２３を通じて送信する。
【００６１】
即ち、第２の実施形態とは異なり、第１電界通信装置１が動作するためには第３電界通信装置３からの第２動作制御信号５ｂを必要とすることはないが、第２電界通信装置２が動作するためには第１動作制御信号５ａのみではなく第３動作制御信号５ｃについても必要である。第２電界通信装置２の基本的な構成については、図３、図５乃至図７で説明したいずれでも良い。
【００６２】
例えば、第３電界通信装置３、第１電界通信装置１、及び第２電界通信装置２を、それぞれ課長Ａ、課長Ｂ、及び担当者が所持するものとし、電界伝達媒体４を人体、机、床等とする場合、担当者の所持する電界通信装置を動作させるには、机を介して送信される課長Ａと課長Ｂとの動作制御信号が必要となる。これにより、マトリクス型組織における指揮命令系統が複数存在する場合等に対応することが可能となる。
【００６３】
本実施の形態によれば、第１電界通信装置１から送信される第１動作制御信号５ａと、第３電界通信装置３から送信される第３動作制御信号５ｃとを受信した場合に、第２電界通信装置２がセキュリティ対象情報６を送信するようにしたことで、第１電界通信装置１及び第３電界通信装置３がない場合には第２電界通信装置２がセキュリティ対象情報６を送信することはないので、第三者が第１電界通信装置１又は第３電界通信装置３のどちらか一方、及び第２電界通信装置２を入手したとしても、セキュリティ対象情報６の漏洩を防止することが可能となる。
【００６４】
以上説明した各実施形態では、電極は送信と受信とを一体化した構成を有するものであるが、送信または受信どちらか一方の構成のみを有するものとしてもよい。
【図面の簡単な説明】
【００６５】
【図１】第１の実施形態に係る電界通信セキュリティシステムの概略的な構成を示す模式図である。
【図２】第１の実施形態に係る第１電界通信装置の構成を示すブロック図である。
【図３】第１の実施形態に係る第２電界通信装置の構成を示すブロック図である。
【図４】第１の実施形態に係る第１、２電界通信装置の通信回路の構成を示すブロック図である。
【図５】第２電界通信装置に係る構成の第１の変形例を示すブロック図である。
【図６】第２電界通信装置に係る構成の第２の変形例を示すブロック図である。
【図７】第２電界通信装置に係る構成の第３の変形例を示すブロック図である。
【図８】第２の実施形態に係る電界通信セキュリティシステムの概略的な構成を示す模式図である。
【図９】第３の実施形態に係る電界通信セキュリティシステムの概略的な構成を示す模式図である。
【符号の説明】
【００６６】
１…第１電界通信装置
２，２０１，２０２，２０３…第２電界通信装置
３…第３電界通信装置
４…電界伝達媒体
５…動作制御信号
５ａ…第１動作制御信号
５ｂ…第２動作制御信号
５ｃ…第３動作制御信号
６…セキュリティ対象情報
１０，２０…メモリ
１１，２１…処理部
１２，２２…通信回路
１３，２３…電極
２３ａ…送信電極
２３ｂ…受信電極
２４…データ入力部
２５…電源制御回路
２６…生体センサー部
２７…時刻発生部
２８…暗号化部
１０１…インタフェース
１０２…レベル調整回路
１０３…送信回路
１０４…電界検出光学部
１０５…受光回路
１０６…バンドパスフィルタ
１０７…波形整形回路
【図１】
2007194922.tif 000003
【図２】
2007194922.tif 000004
【図３】
2007194922.tif 000005
【図４】
2007194922.tif 000006
【図５】
2007194922.tif 000007
【図６】
2007194922.tif 000008
【図７】
2007194922.tif 000009
【図８】
2007194922.tif 000010
【図９】
2007194922.tif 000011